(57)【要約】    【課題】  シャッタカーテンに設けられた溶融樹脂が床に直接落下しない様に、或は床に落下した場合でも、発火を防止して、防火ドアの防火性を向上させるものである。    【解決手段】  シャッタカーテン７の合成樹脂製の部品９が設けられた部位の下方に金属製手掛り１５を設け、前記部品が加熱され、溶融した場合に、溶融樹脂が前記手掛りに落下する様にした。    【選択図】          図１
2010090656.tif 000002
【特許請求の範囲】
【請求項１】
シャッタカーテンの合成樹脂製の部品が設けられた部位の下方に金属製手掛りを設け、前記部品が加熱され、溶融した場合に、溶融樹脂が前記手掛りに落下する様にしたことを特徴とする防火ドア。
【請求項２】
前記手掛りは、該手掛りを伝って流下する溶融樹脂が、前記シャッタカーテンより離反した位置に落下する様構成した請求項１の防火ドア。
【請求項３】
前記手掛りの上面に凹部を形成し、樹脂溜め部とした請求項１の防火ドア。
【請求項４】
前記樹脂溜め部は、土手部を有し、該土手部には欠切部が形成され、溢れた溶融樹脂が前記欠切部より流下する様にした請求項３の防火ドア。
【請求項５】
前記手掛りの前記シャッタカーテンと平行な面には縦溝が形成され、該縦溝は前記欠切部と連続し、該欠切部より溢れた溶融樹脂が前記縦溝を伝って落下する様にした請求項４の防火ドア。
【発明の詳細な説明】
【技術分野】
【０００１】
本発明は、防火ドア、特にパネルを屈曲自在に連結して昇降させて開閉する防火ドアに関するものである。
【背景技術】
【０００２】
防火ドア、特にパネルを屈曲自在に連結して昇降させて開閉するパネルシャッタ式の防火ドアに於いて、パネル間を連結するジョイント部或は蝶番部分に、合成樹脂或は硬質合成ゴム等の加熱することで溶融する材質（以下合成樹脂と称す）を使用しているものがある。又、シャッタの開閉を容易にする為、シャッタの所要位置に合成樹脂製の手掛りを設けたものがある。
【０００３】
斯かる防火ドアでは、シャッタにより火炎が貫通しない様に開口部を遮断した場合、シャッタが加熱され、シャッタ自体が合成樹脂の溶融温度以上となる場合がある。この様な場合、蝶番、手掛りの合成樹脂部分が溶融し、溶融樹脂が加熱された床に落下する。
【０００４】
床面に落下した溶融樹脂は、シャッタカーテンの下端の隙間から火災側に染出す場合があり、染出した樹脂が発火し、非火災側に延焼する虞れがある。
【０００５】
或は、前記シャッタカーテンの下端に不燃ゴム製のシール部材が装着されているものがある。斯かるシャッタカーテンでは、火災時にシール部材が溶融樹脂の発火点以上に加熱されている場合があり、この場合、溶融樹脂がシール部材に接触して発火する場合がある。
【０００６】
尚、パネル間のジョイント部に合成樹脂を使用したものとして特許文献１に示すものがある。
【０００７】
【特許文献１】特開２００３−１３８８６２号公報
【発明の開示】
【発明が解決しようとする課題】
【０００８】
本発明は斯かる実情に鑑み、溶融樹脂が床に直接落下しない様に、或は床に落下した場合でも、発火を防止して、防火ドアの防火性を向上させるものである。
【課題を解決するための手段】
【０００９】
本発明は、シャッタカーテンの合成樹脂製の部品が設けられた部位の下方に金属製手掛りを設け、前記部品が加熱され、溶融した場合に、溶融樹脂が前記手掛りに落下する様にした防火ドアに係り、又前記手掛りは、該手掛りを伝って流下する溶融樹脂が、前記シャッタカーテンより離反した位置に落下する様構成した防火ドアに係り、又前記手掛りの上面に凹部を形成し、樹脂溜め部とした防火ドアに係り、又前記樹脂溜め部は、土手部を有し、該土手部には欠切部が形成され、溢れた溶融樹脂が前記欠切部より流下する様にした防火ドアに係り、更に又前記手掛りの前記シャッタカーテンと平行な面には縦溝が形成され、該縦溝は前記欠切部と連続し、該欠切部より溢れた溶融樹脂が前記縦溝を伝って落下する様にした防火ドアに係るものである。
【発明の効果】
【００１０】
本発明によれば、シャッタカーテンの合成樹脂製の部品が設けられた部位の下方に金属製手掛りを設け、前記部品が加熱され、溶融した場合に、溶融樹脂が前記手掛りに落下する様にしたので、溶融樹脂が床面に落下することが防止でき、溶融樹脂の発火を抑制できる。
【００１１】
又本発明によれば、前記手掛りは、該手掛りを伝って流下する溶融樹脂が、前記シャッタカーテンより離反した位置に落下する様構成したので、前記溶融樹脂がシャッタカーテンの下縁から高温側に染出すことが防止され、又高温の部位に接触することを防止して、溶融樹脂の発火を抑制する。
【００１２】
又本発明によれば、前記手掛りの上面に凹部を形成し、樹脂溜め部としたので、溶融樹脂が床面に落下することが防止でき、溶融樹脂の発火を抑制できる。
【００１３】
又本発明によれば、前記樹脂溜め部は、土手部を有し、該土手部には欠切部が形成され、溢れた溶融樹脂が前記欠切部より流下する様にしたので、溶融樹脂が流下する位置をパネルから離反した位置に特定でき、落下した溶融樹脂が高温の部位に接触し、溶融樹脂が発火することを抑制する。
【００１４】
更に又本発明によれば、前記手掛りの前記シャッタカーテンと平行な面には縦溝が形成され、該縦溝は前記欠切部と連続し、該欠切部より溢れた溶融樹脂が前記縦溝を伝って落下する様にしたので、溶融樹脂が流下する位置をパネルから離反した位置に特定でき、落下した溶融樹脂が高温の部位に接触し、溶融樹脂が発火することを抑制するという優れた効果を発揮する。
【発明を実施するための最良の形態】
【００１５】
以下、図面を参照しつつ本発明を実施する為の最良の形態を説明する。
【００１６】
先ず、図１に於いて、パネルを連結して構成されたシャッタカーテンを昇降させ開口部の開閉を行うオーバドアについて概略を説明する。
【００１７】
建屋等の躯体の開口部の両側柱２に沿って、縦ガイドレール３が設けられ、天井に沿って横ガイドレール４が設けられ、前記縦ガイドレール３と前記横ガイドレール４とは湾曲レール５によって連結されている。前記縦ガイドレール３の上方には水平な巻取りシャフト６等が設けられている。
【００１８】
前記縦ガイドレール３、前記湾曲レール５、前記横ガイドレール４に沿ってシャッタカーテン７がスライド可能となっている。該シャッタカーテン７は所要数のパネル８が合成樹脂製の蝶番９を介して屈伸自在に連結されて構成されている。
【００１９】
前記巻取りシャフト６はブラケット１４を介し躯体側（図示では側柱２）に回転自在に設けられている。前記巻取りシャフト６の両端部にはドラム１１が設けられ、該ドラム１１に巻付けられたワイヤ１２が前記シャッタカーテン７の下端部に係着されている。又、前記巻取りシャフト６にはバランススプリング１３が設けられ、該バランススプリング１３は前記ワイヤ１２を介して前記シャッタカーテン７を上昇方向に付勢している。
【００２０】
前記開口部が開かれる場合は、前記巻取りシャフト６を介し前記ドラム１１が回転されることで前記ワイヤ１２が巻取られ、前記シャッタカーテン７が前記縦ガイドレール３に沿って引上げられ、更に前記横ガイドレール４に格納される様になっている。
【００２１】
又、前記開口部が閉じられる場合は、前記巻取りシャフト６を介して前記ドラム１１が逆方向に回転され、前記ワイヤ１２が繰出されて前記シャッタカーテン７が降下され、前記開口部が閉じられる。
【００２２】
前記バランススプリング１３には捩りコイルバネが使用され、該バランススプリング１３が所定量回転され初期トルクが付与された状態で取付けられ、前記巻取りシャフト６に巻取り方向の回転力を付勢する様になっている。前記シャッタカーテン７には前記ワイヤ１２を介して上昇力が付勢され、前記シャッタカーテン７を開閉する際の動力が軽減されている。
【００２３】
該シャッタカーテン７の最下段のパネル８に金属製の手掛り１５が設けられ、該手掛り１５は前記蝶番９の鉛直下方に位置する様に設定される。
【００２４】
尚、図示では、前記手掛り１５は前記パネル８の幅方向中央に１つ設けられているが、前記蝶番９が幅方向に複数設けられている場合は、各蝶番９に対応した数だけ設けられる。又、前記蝶番９が複数ある場合は、前記手掛り１５は前記パネル８の幅、全幅或は略全幅に亘って１つ設けられてもよい。
【００２５】
次に、図２、図３を参照して、前記手掛り１５について説明する。
【００２６】
該手掛り１５は、前記パネル８に螺子等の固着具１６により固着されるコの字状の手掛り支持部１７と、該手掛り支持部１７に上方から被せられ、該手掛り支持部１７に固定される手掛りカバー１８を有している。
【００２７】
前記手掛り支持部１７は桁部１７ａと該桁部１７ａの両端に形成された脚部１７ｂとを有し、該脚部１７ｂが前記パネル８に対して垂直となる様に前記桁部１７ａが前記固着具１６により前記パネル８に固着される様になっている。又、前記脚部１７ｂには上下方向に貫通する止め孔１９が穿設されている。
【００２８】
図４、図５を参照して前記手掛りカバー１８について説明する。
【００２９】
該手掛りカバー１８の下部には、下面と前記パネル８に接触する背面とが開放された直方形状の手掛り支持部収納凹部２１が形成されている。該手掛り支持部収納凹部２１は、前記手掛り支持部１７を露出しない様に収納する大きさを有し、前記手掛り支持部収納凹部２１の天井部には前記止め孔１９と合致する盲止め螺子孔２２が穿設されている。
【００３０】
前記手掛りカバー１８の上面には、樹脂溜め部２３が凹設されている。該樹脂溜め部２３は両端部に前記手掛りカバー１８の上面から中央に向って下り傾斜する斜面２３ａと、両斜面２３ａ間に延在する底面２３ｂによって形成され、前記樹脂溜め部２３の前面（反パネル８側の面）には土手部２４が設けられている。
【００３１】
該土手部２４の中央部には欠切部２５が形成され、該欠切部２５の部分で前記土手部２４の高さが低くなっている。又、前記手掛りカバー１８の前面（前記パネル８と平行な面）、中央には上下に貫通する縦溝２６が形成され、該縦溝２６の上端は前記欠切部２５に連続している。
【００３２】
前記手掛り１５を前記シャッタカーテン７に装着する場合は、先ず前記手掛り支持部１７を前記固着具１６により最下段のパネル８に固着する。この場合、前記固着具１６は前記パネル８を貫通しないことが好ましい。
【００３３】
次に、前記手掛りカバー１８を前記手掛り支持部１７に上方から被せ、該手掛り支持部１７の下方から固着具、例えば螺子２７を前記止め孔１９に挿通して前記盲止め螺子孔２２に螺着し、前記手掛りカバー１８を前記手掛り支持部１７に固定する。
【００３４】
前記手掛り支持部収納凹部２１に前記手掛り支持部１７を収納させた状態では、該手掛り支持部１７のコの字形状により前記手掛り支持部収納凹部２１内に空間が残置され、該空間が手掛け用の空間となる。
【００３５】
而して、前記手掛り１５を設けることで、該手掛り１５に手を掛け前記シャッタカーテン７を昇降させることができ、開閉の作業性が向上する。
【００３６】
次に、火災時に前記シャッタカーテン７を閉状態とした場合について説明する。
【００３７】
該シャッタカーテン７が加熱され、合成樹脂である前記蝶番９が溶融し、流下、又滴下すると、溶融樹脂は前記手掛りカバー１８に受止められ、前記樹脂溜め部２３に溜る。
【００３８】
前記溶融樹脂の量が少ない場合は、該溶融樹脂は前記樹脂溜め部２３に溜った状態となり、溶融樹脂の量が多い場合は、前記欠切部２５から溢れ、前記縦溝２６を伝って流下する。
【００３９】
該縦溝２６の下端は、薄肉のエッジ状（図６参照）となっているので、液切り作用があり、溶融樹脂の回込みを防止する。従って、前記縦溝２６を伝って流下した溶融樹脂は、前記縦溝２６の直下に落下する。
【００４０】
又、該縦溝２６を伝って落下した溶融樹脂は、前記手掛りカバー１８の奥行分（パネル８の表面に対して突出した分）だけ前記シャッタカーテン７から離反した位置に落下する。従って、床に落下した溶融樹脂は、火災側に染出すことはなく、又シール部材に接触することはなくなり、発火する可能性が大幅に減少する。
【００４１】
尚、上記実施の形態に於いて、前記手掛り支持部１７を省略して前記手掛りカバー１８を直接前記パネル８に取付ける様にしてもよい。
【００４２】
図７は、第２の実施の形態を示している。
【００４３】
図７中、２８は最下段のパネル８の下端に設けられたシール部材を示し、２９は第２の実施の形態に係る手掛りを示している。
【００４４】
該手掛り２９は、金属製の板材をクランク状に屈曲させたものであり、溶融した樹脂は前記手掛り２９の表面に沿って流れ、前記パネル８から水平部２９ａだけ離反した位置に落下する。
【００４５】
従って、床に落下した溶融樹脂は、火災側に染出すことはなく、又シール部材２８に接触することがなくなる。
【００４６】
尚、前記手掛り２９に於いて、前記水平部２９ａにプレス加工により凹部を形成し、樹脂溜め部としてもよい。又前記手掛り２９の形状は、クランク状に屈曲させる以外に、前記シャッタカーテン７から離反する傾斜面を有する形状、或は前記シャッタカーテン７から離反する湾曲面を有する形状としてもよい。
【００４７】
次に、上記実施の形態では、蝶番が合成樹脂製であった場合を説明したが、シャッタカーテンの所要高さに設けられた手掛りが合成樹脂製とした場合にも適用可能である。
【００４８】
図８〜図１０は、巻取式シャッタのシャッタカーテンに樹脂製の手掛りが設けられた場合を示している。
【００４９】
シャッタカーテン３１の所要高さのスラット３２、例えば腰の高さのスラットに樹脂製の手掛り３３が設けられる。
【００５０】
該手掛り３３は屈撓可能な軟質合成樹脂製プレートであり、水平方向に延びる短冊形状をしており、両端部に水平方向に長い長孔３４が穿設され、該長孔３４を通してリベット３５により前記スラット３２に取付けられる。又、前記リベット３５による取付けは、完全に固着するのではなく、前記手掛り３３が前記スラット３２、前記リベット３５に対して摺動可能な状態に取付ける。
【００５１】
前記スラット３２の断面形状が湾曲している場合、又、前記手掛り３３の取付け位置を、図９に示される様に、前記スラット３２の上部又は下部、即ち該スラット３２の頂部を避けた部位に設けることで、前記シャッタカーテン３１を巻取った場合、前記手掛り３３が邪魔になることがない。
【００５２】
次に、前記シャッタカーテン３１を開する場合、前記手掛り３３の中央を手前に引出せば、図１０に示される様に山型に湾曲し、指が挿通する隙間が生じ、手掛りとして使用することができる。
【００５３】
前記手掛り３３の下方に上記した金属製の手掛り２９を設けてもよい。即ち、本発明はパネル式の防火ドアに限らず、巻取式のシャッタにも実施可能である。
【００５４】
上述した如く、シャッタカーテンで合成樹脂製の部品が使用されている場合、合成樹脂製の部品の下方に、前記手掛り１５、前記手掛り２９等を設け、少なくとも溶融樹脂がシャッタカーテンから離反する位置に落下する様にすれば、溶融した樹脂が発火することによる延焼を防止することができる。
【図面の簡単な説明】
【００５５】
【図１】オーバドアの概略を示す斜視図である。
【図２】第１の実施の形態に用いられる手掛りを示す上方から視た分解斜視図である。
【図３】第１の実施の形態に用いられる手掛りを示す下方から視た分解斜視図である。
【図４】第１の実施の形態に用いられる手掛りカバーの平面図である。
【図５】第１の実施の形態に用いられる手掛りカバーの背面図である。
【図６】第１の実施の形態に用いられる手掛りカバーの底面図である。
【図７】第２の実施の形態に用いられる手掛りの要部断面図である。
【図８】合成樹脂製の手掛りの一例を示す斜視図である。
【図９】図８のＡ−Ａ矢視図である。
【図１０】該手掛りの使用時の状態を示す斜視図である。
【符号の説明】
【００５６】
７              シャッタカーテン
８              パネル
９              蝶番
１５            手掛り
１７            手掛り支持部
１８            手掛りカバー
２１            手掛り支持部収納凹部
２３            樹脂溜め部
２４            土手部
２５            欠切部
２６            縦溝
２９            手掛り
【図１】
2010090656.tif 000003
【図２】
2010090656.tif 000004
【図３】
2010090656.tif 000005
【図４】
2010090656.tif 000006
【図５】
2010090656.tif 000007
【図６】
2010090656.tif 000008
【図７】
2010090656.tif 000009
【図８】
2010090656.tif 000010
【図９】
2010090656.tif 000011
【図１０】
2010090656.tif 000012